(57)【特許請求の範囲】
【請求項１】
その内部を冷媒が流れる熱交換器（１２）と、室内の空気を取り込んで前記熱交換器（１２）に向けて風を送る送風機（１４）と、室内から取り込まれる空気を前記送風機（１４）に導くベルマウス（１６）と、少なくともその一部が前記ベルマウス（１６）と当該ベルマウス（１６）の高さ方向において重なるように配置された電装ユニット（３０）とを備える室内機であって、
前記電装ユニット（３０）は、電子部品（３１ａ）が実装されたプリント基板（３１）と、室内から吸い込む空気の温度を検知するセンサ部材（３４）と、前記プリント基板（３１）を収容するケース（３２）と、このケース（３２）に対し着脱自在に取り付けられる蓋（３３）と、頭部（３７ａ）と軸部とを有し前記ケース（３２）に前記蓋（３３）が固定されるように両者を締め付け可能な締付部材（３７）とを含み、
前記ケース（３２）は、前記センサ部材（３４）を支持するセンサ部材支持部（３２ｄ）と、前記軸部を挿通させる軸部挿通孔（３２ｇ）とを含むフランジ（３２ｂ）を有し、
前記蓋（３３）は、前記フランジ（３２ｂ）と重なる形状を有する鍔部（３３ｂ）と、この鍔部（３３ｂ）から起立する起立部（３３ｅ）とを有し、前記鍔部（３３ｂ）は、前記センサ部材（３４）と干渉しない形状の第一切欠部（３３ｃ）と前記軸部を挿通させる軸部挿通部（３３ｄ）とを有し、前記起立部（３３ｅ）は、前記第一切欠部（３３ｃ）とつながっており前記センサ部材（３４）と干渉しない形状の第二切欠部（３３ｆ）を有し、前記鍔部（３３ｂ）又は前記起立部（３３ｅ）のいずれか一方は、前記軸部挿通部（３３ｄ）とつながっており、かつ、前記締付部材（３７）を完全には緩めない状態で当該蓋（３３）を前記起立部（３３ｅ）の表面と直交する方向に変位させたときに、前記頭部（３７ａ）と干渉することなく前記ケース（３２）から当該蓋（３３）を取り外すことが可能な形状の頭部回避部（３３ｇ）を有する室内機。
【請求項２】
請求項１に記載の室内機において、
前記頭部回避部（３３ｇ）は、前記起立部（３３ｅ）に設けられている室内機。
【請求項３】
請求項１又は２に記載の室内機において、
前記センサ部材（３４）は、室内から吸い込む空気の温度を検知するサーミスタ（３５）と、このサーミスタ（３５）を保護するように前記センサ部材支持部（３２ｄ）に取り付けられるサーミスタケース（３６）とを有し、
前記サーミスタケース（３６）は、前記プリント基板（３１）の発熱により暖められた空気が前記第二切欠部（３３ｆ）を通じて前記サーミスタ（３５）へ至るのを抑制する形状を有する室内機。
【発明の詳細な説明】
【技術分野】
【０００１】
本発明は、空気調和装置における室内機に関し、特に、天井吊下型や天井埋込型の室内機に関するものである。
【背景技術】
【０００２】
従来、空気調和装置における天井埋込型の室内機として、例えば下記特許文献１に示すものが知られている。この特許文献１に記載の室内機は、ケーシングの下面中央部から室内の空気を吸い込み、その空気を熱交換器で熱交換させた後、ケーシング下面に設けられた四つの吹出口から風を吹き出すものである。この室内機は、ケーシングの下面中央部から吸い込んだ室内の空気を、ケーシングの略中央部に収容される送風機に導くベルマウスと、このベルマウスの下面に取り付けられる電装ユニットとを備える。この電装ユニットは、各種制御を行う電子部品が実装された回路基板と、この回路基板を収容するケースと、このケースの開口を塞ぐ形状を有する蓋と、前記蓋が前記ケースに対して固定されるように両者を締め付ける締付部材とを有する。前記ケースは、下方、すなわち、室内側にその開口を有し、前記蓋は、前記ケースの下方から前記開口を塞ぐように当該ケースに取り付けられる。
【０００３】
通常、前記ケースは、一方向に長い形状を有するとともにその長手方向に沿って延びるフランジを有し、前記蓋は、前記フランジと重なる形状の鍔部を有する。前記フランジと前記鍔部とは、それぞれが前記締付部材の軸部を挿通可能な軸部挿通孔を有する。そして、前記ケースと前記蓋とは、前記フランジと前記鍔部とが重ね合わされた状態で、それぞれの軸部挿通孔に前記軸部が挿通されて当該締付部材によって固定される。ここで、前記蓋の軸部挿通孔は、前記締付部材を完全には緩めない状態で前記蓋を前記長手方向にスライドさせることにより、前記ケースからこの蓋を取り外すことが可能な形状を有する。つまり、前記ケースから前記蓋を取り外すには、前記締付部材を完全には外れない程度に緩め、当該蓋をその長手方向にスライドさせる。
【先行技術文献】
【特許文献】
【０００４】
【特許文献１】特開２０１１−１５３７４９号公報
【発明の概要】
【発明が解決しようとする課題】
【０００５】
上記特許文献１に記載されるような室内機は薄型化が要求されており、前記電装ユニットを前記ベルマウスの下面よりも上方に、すなわち、前記ベルマウス内にその一部が位置するように配置させることが考えられている。ところが、この電装ユニットのケースの外側面のうち前記フランジよりも上方、つまり、ベルマウスの下面寄りの部位に前記サーミスタが装着されている場合には、このサーミスタとベルマウスとの干渉が問題となる。
【０００６】
そこで、前記ケースのフランジの下面側に前記サーミスタを取り付けるとともに、前記蓋の鍔部に、前記サーミスタとの干渉を避けるための切欠部を設けることが考えられる。このようにすれば、薄型化により前記ケースのフランジよりも上側の部分が前記ベルマウス内に位置したとしても、前記サーミスタが当該ベルマウスと干渉するという問題は解消される。
【０００７】
しかしながら、このようにすると、前記蓋を、上記のようにその長手方向にスライドさせて取り外すことを可能とするためには、この蓋と前記サーミスタとの干渉を避けるために前記切欠部の長手方向の寸法を大きくする必要がある。そして、前記切欠部の長手方向の寸法を大きくすれば、この切欠部を通じて、前記プリント基板の発熱により暖められた空気が前記ケース外に漏れる場合があり、この場合、その暖められた空気が前記サーミスタに当たることにより、当該サーミスタの検知精度が低下することが懸念される。
【０００８】
本発明は、上記のような課題を解決するためになされたものであり、全体を薄型化し、かつ、電装ユニットの蓋の取り外しを容易にしながらもサーミスタの検知精度の低下を抑制することのできる室内機を提供することを目的とする。
【課題を解決するための手段】
【０００９】
前記課題を解決するための手段として、本発明は、その内部を冷媒が流れる熱交換器（１２）と、室内の空気を取り込んで前記熱交換器（１２）に向けて風を送る送風機（１４）と、室内から取り込まれる空気を前記送風機（１４）に導くベルマウス（１６）と、少なくともその一部が前記ベルマウス（１６）と当該ベルマウス（１６）の高さ方向において重なるように配置された電装ユニット（３０）とを備える室内機であって、前記電装ユニット（３０）は、電子部品（３１ａ）が実装されたプリント基板（３１）と、室内から吸い込む空気の温度を検知するセンサ部材（３４）と、前記プリント基板（３１）を収容するケース（３２）と、このケース（３２）に対し着脱自在に取り付けられる蓋（３３）と、頭部（３７ａ）と軸部とを有し前記ケース（３２）に前記蓋（３３）が固定されるように両者を締め付け可能な締付部材（３７）とを含み、前記ケース（３２）は、前記センサ部材（３４）を支持するセンサ部材支持部（３２ｄ）と、前記軸部を挿通させる軸部挿通孔（３２ｇ）とを含むフランジ（３２ｂ）を有し、前記蓋（３３）は、前記フランジ（３２ｂ）と重なる形状を有する鍔部（３３ｂ）と、この鍔部（３３ｂ）から起立する起立部（３３ｅ）とを有し、前記鍔部（３３ｂ）は、前記センサ部材（３４）と干渉しない形状の第一切欠部（３３ｃ）と前記軸部を挿通させる軸部挿通部（３３ｄ）とを有し、前記起立部（３３ｅ）は、前記第一切欠部（３３ｃ）とつながっており前記センサ部材（３４）と干渉しない形状の第二切欠部（３３ｆ）を有し、前記鍔部（３３ｂ）又は前記起立部（３３ｅ）のいずれか一方は、前記軸部挿通部（３３ｄ）とつながっており、かつ、前記締付部材（３７）を完全には緩めない状態で当該蓋（３３）を前記起立部（３３ｅ）の表面と直交する方向に変位させたときに、前記頭部（３７ａ）と干渉することなく前記ケース（３２）から当該蓋（３３）を取り外すことが可能な形状の頭部回避部（３３ｇ）を有する室内機を提供する。
【００１０】
この発明の室外機によれば、全体を薄型化し、かつ、前記電装ユニットの蓋の取り外しを容易にしながらも前記サーミスタの検知精度の低下を抑制することができる。具体的には、前記電装ユニットは、前記ベルマウスと当該ベルマウスの高さ方向において重なる部位が存在するように配置されるので、全体としての薄型化が可能となる。そして、前記蓋の鍔部又は起立部のいずれか一方が、前記締付部材を完全には緩めない状態で当該蓋を前記起立部の表面と直交する方向に変位させたときに、前記頭部と干渉することなく前記ケースから当該蓋を取り外すことが可能な形状の頭部回避部を有するので、前記締付部材を完全には外れない程度に緩めて前記蓋を前記起立部の表面と直交する方向へスライドさせるだけで、この蓋を前記ケースから容易に取り外すことができる。さらに、この頭部回避部は、前記蓋を前記起立部の表面と直交する方向に変位させたときに前記締付部材の頭部と干渉しない形状を有するので、この蓋は、前記起立部の表面と平行な方向にスライドさせることなく前記ケースから取り外される。すなわち、前記第一切欠部及び前記第二切欠部の長手方向の寸法を、前記サーミスタと干渉しないだけの寸法としても、前記蓋を前記ケースから取り外すことができる。したがって、前記蓋と前記ケースとの簡便な着脱構造を維持しつつ、前記プリント基板の発熱により暖められた空気が前記第一切欠部及び第二切欠部を通じて前記ケース外に漏れて前記サーミスタの検知精度を低下させるといった不具合の発生を抑制することができる。
【００１１】
この場合において、前記頭部回避部（３３ｇ）は、前記起立部（３３ｅ）に設けられていることが好ましい。
【００１２】
このようにすれば、前記頭部回避部が前記鍔部に設けられる場合に比べ、当該鍔部の短手方向、すなわち、前記長手方向と直交する方向の寸法を短縮することが可能となる。これにより、前記フランジの短手方向の寸法を短縮することも可能となり、結果、電装ユニットの小型化が可能となる。
【００１３】
また、本発明において、前記センサ部材（３４）は、室内から吸い込む空気の温度を検知するサーミスタ（３５）と、このサーミスタ（３５）を保護するように前記センサ部材支持部（３２ｄ）に取り付けられるサーミスタケース（３６）とを有し、前記サーミスタケース（３６）は、前記プリント基板（３１）の発熱により暖められた空気が前記第二切欠部（３３ｆ）を通じて前記サーミスタ（３５）へ至るのを抑制する形状を有することが好ましい。
【００１４】
このようにすれば、前記プリント基板の発熱により暖められた空気が前記第二切欠部を通じて前記サーミスタへ至ることが抑制されるので、前記サーミスタの検知精度の低下が抑制される。
【発明の効果】
【００１５】
以上のように、本発明によれば、全体を薄型化し、かつ、電装ユニットの蓋の取り外しを容易にしながらもサーミスタの検知精度の低下を抑制することのできる室内機を提供することができる。
【図面の簡単な説明】
【００１６】
【図１】本発明の一実施形態の室内機の斜視図である。
【図２】図１に示す室内機の内部構造を示す平面図である。
【図３】図１に示す室内機の電装ユニット近傍を拡大した図である。
【図４】図３に示す電装ユニットの蓋を取り外した状態を示す図である。
【図５】図３に示す電装ユニットのセンサ部材支持部近傍を拡大した図である。
【図６】図５に示すセンサ部材支持部近傍を異なる角度から見た図である。
【図７】図１に示す室内機の断面図である。
【発明を実施するための形態】
【００１７】
本発明の一実施形態の室内機について、図１〜図７を参照しながら説明する。図２は、後述する化粧板１１を取り外して室内側から見た状態を示すものである。図３は、後述する締付部材３７の一方を省略した状態を示すものである。図４は、後述するサーミスタケース３６の一部を破断した状態を示すものである。また、以下の説明では、天井と床とを結ぶ方向、すなわち、室内機の厚み方向を上下方向とする。
【００１８】
図１に示すように、本実施形態における室内機は、天井から吊下げる形式、すなわち、天井吊下型の室内機である。この室内機は、ケーシングを備え、このケーシング内に、熱交換器１２と、送風機１４と、ベルマウス１６と、各種制御を行う電子部品が搭載された電装ユニット３０とを備える。さらに、この室内機は、ケーシング内に、熱交換器１２から生じる水滴を受けるドレンパン（図示せず）、ドレンパンに溜まった水を吸い上げて室内機外へ排出するドレンポンプ１８、室内の人の居場所を検知する人検知センサ１９、室内から取り込む空気中の塵埃を捕捉するエアフィルター（図示せず）等を備える。
【００１９】
ケーシングは、略矩形状を呈し、天井から吊下げられる。このケーシングは、略矩形状の化粧枠１０ａと、化粧枠１０ａの四隅に取り付けられるコーナーカバー１０ｃと、化粧枠１０ａに取り付けられる４つの風向板１０ｄと、化粧枠１０ａの上部に取り付けられる天板１０ｅと、化粧枠１０ａの下部に取り付けられる化粧板１１と有する。化粧枠１０ａは、その各辺のそれぞれに、室内に向けて風を吹き出すための吹出口１０ｂを有する。各吹出口１０ｂは、それぞれが各辺の長手方向に沿った一方向に長い形状を有する。コーナーカバー１０ｃは、略Ｌ字状であり、化粧枠１０ａの四隅を覆うように当該化粧枠１０ａに取り付けられる。各風向板１０ｄは、吹出口１０ｂから吹き出す風の向きを調整するものである。風向板１０ｄは、一方向に長い形状を有し、その長手方向が吹出口１０ｂの長手方向と一致するように化粧枠１０ａに取り付けられる。この風向板１０ｄは、その長手方向の両端に回動軸を有し、この回動軸が化粧枠１０ａに取り付けられる。天板１０ｅは、化粧枠１０ａの上部に設けられた開口を覆うように当該化粧枠１０ａに取り付けられる。化粧板１１は、化粧枠１０ａの下部に設けられた開口を覆う形状を有し、その中央に設けられた吸込グリル１１ａと、吸込グリル１１ａの近傍に設けられたセンサ用開口１１ｂとを有する。吸込グリル１１ａは、室内からの風を吸い込む部分であり、センサ用開口１１ｂは、人検知センサ１９を室内に露出させるためのものである。またこの化粧板１１は、その一端側（図１における右側）の辺が化粧枠１０ａに軸支されており、この部分を回動軸として、他端側（図１における左側）の辺が室内側に変位するように回動しながら開くことができる。
【００２０】
熱交換器１２は、その内部を冷媒が流れており、室内から取り込まれた空気と熱交換するものである。この熱交換器１２は、図２に示すように、送風機１４を取り囲む形状を有する。具体的には、この熱交換器１２は、化粧枠１０ａの外形に沿うとともに、その両端が同一の角部（図２では右上の角部）で対向する形状を有する。また、この熱交換器１２は、その一方側（図２では下側）の端部が、前記角部の近傍に設置されたドレンポンプ１８と干渉しないように、化粧枠１０ａの内側へ折れ曲がった形状を有する。
【００２１】
送風機１４は、ケーシングの略中央に設けられており、室内から空気を取り込み、熱交換器１２に向けて風を送るものである。具体的には、この送風機１４は、吸込グリル１１ａを通じて室内から取り込まれた空気が、熱交換器１２を経由して各吹出口１０ｂから室内に吹き出されるような気流を発生させる。この送風機１４は、前記気流を発生させる形状の羽根車と、この羽根車を回転駆動させるモータとを有する。本実施形態では、このような送風機１４として、遠心送風機（ターボファン）、すなわち、下方から取り込んだ空気を側方へ送り出すことが可能なファンを用いている。なお、送風機１４としては、遠心送風機に限らず、例えば、斜流送風機等を用いることができる。
【００２２】
ベルマウス１６は、室内から取り込まれる空気を送風機１４に導くものである。具体的に、このベルマウス１６は、その中央に上下方向に解放する開口を有しており、この開口の径がケーシングの下面側から上面側に向かって次第に小さくなる形状を有する。このベルマウス１６は、その下端の周縁の一部に、後述のセンサ部材支持部３２ｄ及びこれに支持されるセンサ部材３４と干渉しない形状の凹部１６ａを有する。この凹部１６ａは、ベルマウス１６の周縁の一部をその厚み方向に切り欠くように設けられている。
【００２３】
電装ユニット３０は、各種制御を行う電子部品３１ａが実装されたプリント基板３１と、このプリント基板３１を収容するケース３２と、このケース３２に対し着脱自在に取り付けられる蓋３３と、ケース３２に支持されるセンサ部材３４と、ケース３２と蓋３３とを締め付け可能な締付部材３７とを有する。
【００２４】
ケース３２は、一方側（図４における上側、図７における下側）に開口を有する箱状を呈するケース本体３２ａと、このケース本体３２ａの開口の端部から側方に張り出す平板状のフランジ３２ｂとを有する。このケース３２は、金属板を加工することにより成形される。図４及び図７に示すように、ケース本体３２ａは、プリント基板３１が載置される底壁と、この底壁の周縁から立ち上がるように当該底壁と一体的に形成された側壁とを有する。この側壁は、プリント基板３１の周囲を取り囲む形状を有するとともに、プリント基板３１を収容可能な深さ寸法を有する。なお、ケース本体３２ａには、プリント基板３１の他、端子台等が収容される。フランジ３２ｂは、一方向（図４の左右方向）に長い形状を有するフランジ本体３２ｃと、センサ部材３４を支持するセンサ部材支持部３２ｄとを有する。図７に示すように、このフランジ３２ｂは、ケース本体３２ａの側壁の下端に設けられる。
【００２５】
フランジ本体３２ｃ（フランジ３２ｂ）は、図７に示すように、ベルマウス１６の下端よりも僅かに上方に位置する。このフランジ本体３２ｃは、締付部材３７の軸部（図示せず）を挿通可能な形状の軸部挿通孔３２ｇを有する。
【００２６】
センサ部材支持部３２ｄは、フランジ本体３２ｃをその長手方向に二分するように設けられており、フランジ本体３２ｃよりも、当該フランジ本体３２ｃの長手方向及び厚み方向と直交する方向に突出する平板状を呈する。つまり、センサ部材支持部３２ｃは、ケース本体３２ａの開口端部から外側に張り出す形状を有し、フランジ３２ｂは、当該センサ部材支持部３２ｄの部分がフランジ本体３２ｃよりもケース本体３２ａから側方に突出する形状となる。図３及び図４に示すように、このセンサ部材支持部３２ｄは、その一部（ベルマウス１６側の部位）がベルマウス１６の凹部１６ａ内に位置する。また、図７に示すように、センサ部材支持部３２ｄは、ベルマウス１６とともに、送風機１４により生ずる気流が室内から送風機１４に至るまでの空間と、前記気流が送風機１４から熱交換器１２に至るまでの空間とに仕切る位置に設けられる。つまり、センサ部材支持部３２ｄの上面は、送風機１４から熱交換器１２へと向かう気流と接する。そして、このセンサ部材支持部３２ｄは、送風機１４から熱交換器１２へと向かう気流が凹部１６ａを通じて室内側へ至るのを遮る形状、すなわち、凹部１６ａ内と略同面積の形状を有する。また、図７に示すように、ケース３２は、センサ部材支持部３２ｄよりも上側の部位（ケース本体３２ａ）が、ベルマウス１６と当該ベルマウス１６の高さ方向において重なるように配置される。
【００２７】
センサ部材支持部３２ｄは、図５及び図６に示すように、孔３２ｅを有する。この孔３２ｅは、プリント基板３１の発する熱がケース本体３２ａの側壁を介してセンサ部材支持部３２ｄに伝わることを抑制する。すなわち、この孔３２ｅは「熱伝導抑制部」を構成する。図５及び図６に示すように、この孔３２ｅは、センサ部材支持部３２ｄにおけるサーミスタ本体３５ａが支持される部位よりもケース本体３２ａの開口端部寄りに設けられており、フランジ３２ｂの長手方向と同方向に長い形状を有する。具体的には、孔３２ｅは、少なくともセンサ部材支持部３２ｄの長手方向の寸法の半分以上の寸法を有する。
【００２８】
なお、本実施形態では、熱伝導抑制部として孔３２ｅを示したが、この熱伝導抑制部としては、プリント基板３１の発する熱がセンサ部材支持部３２ｄにおけるサーミスタ本体３５ａが支持される部位に伝わることを抑制可能であればよく、センサ部材支持部３２ｄにおける当該孔３２ｅ以外の部分よりも厚さ寸法が小さくされた薄肉部であってもよい。
【００２９】
センサ部材支持部３２ｄは、後述のサーミスタケース３６を係止する係止部３２ｆを有する。
【００３０】
蓋３３は、図３に示すように、ケース本体３２ａの開口と略同面積を有する閉塞部３３ａと、フランジ３２ｂと重なる形状の鍔部３３ｂと、閉塞部３３ａの端部と鍔部３３ｂの端部とをつなぐ起立部３３ｅとを有する。
【００３１】
鍔部３３ｂは、センサ部材３４と干渉しない形状の第一切欠部３３ｃと、締付部材３７の軸部を挿通可能な形状の軸部挿通部３３ｄとを有する。第一切欠部３３ｃの長手方向の寸法は、センサ部材３４におけるサーミスタケース３６の長手方向の寸法と略同一となるように設定される。
【００３２】
起立部３３ｅは、鍔部３３ｂにおける短手方向の一方側（図３の左側）の端部から当該鍔部３３ｂと略直交する方向に起立するように延びる形状を有する。この起立部３３ｅは、第一切欠部３３ｃとつながっておりセンサ部材３４と干渉しない形状の第二切欠部３３ｆと、締付部材３７の頭部３７ａと干渉しない形状の頭部回避部３３ｇとを有する。第二切欠部３３ｆの長手方向の寸法は、センサ部材３４におけるサーミスタケース３６の長手方向の寸法と略同一となるように設定される。第二切欠部３３ｆの高さ方向の寸法は、センサ部材３４におけるサーミスタケース３６の高さ方向の寸法と略同一となるように設定される。頭部回避部３３ｇは、軸部挿通部３３ｄとつながっており、締付部材３７の頭部３７ａよりも一回り大きな形状を有する。具体的に、この頭部回避部３３ｇは、蓋３３を起立部３３ｅの表面と直交する方向（鍔部３３ｂの長手方向と直交する方向）に変位させたときに、頭部３７ａを挿通可能な形状を有する。
【００３３】
ベルマウス１６の周縁における蓋３３と隣接する部位は、蓋３３がケース３２に取り付けられた状態における鍔部３３ｂの位置する高さと略同一高さに設定されるので、蓋３３を起立部３３ｅの表面と直交する方向に変位させて取り外す際、当該蓋３３は、鍔部３３ｂの上面がベルマウス１６の下面と接するようにスライドされて取り外される。
【００３４】
なお、頭部回避部３３ｇは、起立部３３ｅではなく鍔部３３ｂに設けられてもよい。この場合、軸部挿通部３３ｄと頭部回避部３３ｇとは鍔部３３ｂの短手方向に並ぶ。つまり、頭部回避部３３ｇが軸部挿通部３３ｄの起立部３３ｅ側で当該軸部挿通部３３ｄとつながっており、これら軸部挿通部３３ｄ及び頭部回避部３３ｇは、いわゆるダルマ穴を形成する。
【００３５】
センサ部材３４は、室内から吸い込む空気の温度を検知するサーミスタ３５と、このサーミスタ３５を保護するサーミスタケース３６とを有する。
【００３６】
サーミスタ３５は、空気の温度を検知する検知部を有するサーミスタ本体３５ａと、このサーミスタ本体３５ａに接続されておりプリント基板３１に接続可能なケーブル３５ｂとを有する。サーミスタケース３６がセンサ部材支持部３２ｄに取り付けられた状態で、サーミスタ本体３５ａは、ベルマウス１６の下面よりも室内側に露出するように当該センサ部材支持部３２ｄに支持される。
【００３７】
サーミスタケース３６は、例えば合成樹脂からなり、サーミスタ３５を覆う形状を有する。サーミスタケース３６は、サーミスタ本体３５ａの周囲におけるケース本体３２ａの開口端部側に設けられた背面壁３６ａと、この背面壁３６ａの両端部にそれぞれ接続される一対の側面壁３６ｄと、一対の側面壁３６ｄ同士を接続する前面壁３６ｅと、背面壁３６ａ、一対の側面壁３６ｄ及び前面壁３６ｅのそれぞれの下端部を接続する底面壁３６ｆと、センサ部材支持部３２ｄに設けられた係止部３２ｆと係合可能な被係止部３６ｇとを有する。このサーミスタケース３６は、その被係止部３６ｇが係止部３２ｆと係合することにより、センサ部材支持部３２ｄの下面に取り付けられる。なお、サーミスタケース３６は省略が可能である。
【００３８】
背面壁３６ａは、第二切欠部３３ｆと略同面積を有し、当該第二切欠部３３ｆを塞ぐ形状を有する。この背面壁３６ａは、サーミスタ本体３５ａから延びるケーブル３５ｂをプリント基板３１側へ導出するためのケーブル導出部３６ｂと、センサ部材支持部３２ｄにおける孔３２ｅの少なくとも一部を塞ぐ形状の閉塞面３６ｃとを有する。なお、図５及び図６に示すように、本実施形態では、閉塞面３６ｃは孔３２ｅの一部を塞ぐ形状としているが、孔３２ｅのすべてを塞ぐ形状としてもよい。一対の側面壁３６ｄは、背面壁３６ａの長手方向の両端から、鍔部３３ｂの短手方向に延びる形状を有する。前面壁３６ｅは、背面壁３６ａと略平行となるように一対の側面壁３６ｄに接続される。前面壁３６ｅ及び底面壁３６ｆは、当該サーミスタケース３６の内部と外部とを連通させる連通孔をそれぞれ有する。したがって、送風機１４の駆動により室内から取り込まれる空気は、この連通孔を通じてサーミスタケース３６内のサーミスタ本体３５ａと接触することが可能である。
【００３９】
次に、この室内機の駆動動作について説明する。
【００４０】
まず、送風機１４のモータが駆動されてその羽根車が回転する。そうすると、この送風機１４は、吸込グリル１１ａを通じて取り込んだ室内の空気が、熱交換器１２へ向かう気流を発生させる。そして、その気流は熱交換器１２を経由して各吹出口１０ａから室内へ向かう。このとき、送風機１４の吸込側において、サーミスタ３５が室内から取り込む空気の温度を検知する。また、送風機１４から熱交換器１２に向かう気流はベルマウス１６の凹部１６ａを通じて室内側へ向かおうとするが、センサ部材支持部３２ｄが、この凹部１６ａ内に位置しながら前記気流を遮る形状を有するので、当該気流は効率よく熱交換器１２へ導かれる。ここで、室内機の駆動動作中、電装ユニット３０におけるプリント基板３１からは熱が発生する。この熱は、ケース本体３２ａの側壁を伝導してセンサ部材支持部３２ｄにおけるサーミスタ３５が支持されている部位へと向かうが、センサ部材支持部３２ｄは、この熱伝導を遮断可能な孔３２ｅを有するので、前記熱は、この孔３２ｅでその大部分が遮断され、当該センサ部材支持部３２ｄのうち孔３２ｅを除く部分からしか前記サーミスタ３５が支持されている部位に伝わらなくなる。これにより、サーミスタ３５の検知精度の低下を抑制することができる。さらに、前記気流は、センサ部材支持部３２ｄの孔３２ｅを通じて室内側へ向かおうとするが、サーミスタケース３６の閉塞面３６ｃがこの気流を遮るので、前記気流を効率よく熱交換器１２へ導くことができる。
【００４１】
以上説明したように、本実施形態の電装ユニット３０は、蓋３３の鍔部３３ｂが第一切欠部３３ｃ及び軸部挿通部３３ｄを有するとともに、起立部３３ｅが第二切欠部３３ｆ及び頭部回避部３３ｇを有するので、締付部材３７を完全には外れない程度に緩めて蓋３３を起立部３３ｅの表面と直交する方向へスライドさせるだけで、この蓋３３をケース３２から容易に取り外すことができる。さらに、第一切欠部３３ｃ及び第二切欠部３３ｆの長手方向の寸法が、サーミスタケース３６の長手方向の寸法と略同一とされているため、プリント基板３１の発熱により暖められた空気がこれら第一切欠部３３ｃ及び第二切欠部３３ｆを通じてケース３２外に漏れてサーミスタ３５の検知精度を低下させるといった不具合の発生を抑制することができる。
【００４２】
また、本実施形態の電装ユニット３０は、頭部回避部３３ｇが起立部３３ｅに設けられているため、当該頭部回避部３３ｇが鍔部３３ｂに設けられる場合に比べ、当該鍔部３３ｂの短手方向の寸法を短縮することが可能となる。これにより、ケース３２のフランジ３２ｂの短手方向の寸法を短縮することも可能となり、結果、電装ユニット３０の小型化が可能となる。
【００４３】
また、本実施形態の室内機は、センサ部材支持部３２ｄがベルマウス１６の凹部１６ａ内に位置するとともに、ケース本体３２ａがベルマウス１６の下端よりも上方に位置するので、ベルマウス１６の上端からケース３２の下端までの寸法が短縮され、当該室内機が全体として薄型化される。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
例えば、上記実施形態では、天井吊下型の室内機を例に挙げて説明したが、本発明は、ケーシングにおける化粧板１１を除く部分を天井内に埋め込んだ天井埋込型の室内機にも適用が可能である。
【００４６】
また、本実施形態では、センサ部材支持部３２ｄがベルマウス１６の凹部１６ａ内に位置された例について示したが、このセンサ部材支持部３２ｄは、凹部１６ａ内に位置することなくベルマウス１６の周縁よりも側方に位置してもよい。この場合でも、ベルマウス１６とケース３２との上下方向の寸法が大きくなることはない。
【符号の説明】
【００４７】
１０ａ  化粧枠
１０ｂ  吹出口
１０ｃ  コーナーカバー
１０ｄ  風向板
１０ｅ  天板
１１    化粧板
１１ａ  吸込グリル
１１ｂ  センサ用開口
１２    熱交換器
１４    送風機
１６    ベルマウス
１８    ドレンポンプ
１９    人検知センサ
３０    電装ユニット
３１    プリント基板
３１ａ  電子部品
３２    ケース
３２ａ  ケース本体
３２ｂ  フランジ
３２ｃ  フランジ本体
３２ｄ  センサ部材支持部
３２ｅ  孔（熱伝導抑制部）
３２ｆ  係止部
３２ｇ  軸部挿通孔
３３    蓋
３３ａ  閉塞部
３３ｂ  鍔部
３３ｃ  第一切欠部
３３ｄ  軸部挿通部
３３ｅ  起立部
３３ｆ  第二切欠部
３３ｇ  頭部回避部
３４    センサ部材
３５    サーミスタ
３５ａ  サーミスタ本体
３５ｂ  ケーブル
３６    サーミスタケース
３６ａ  背面壁
３６ｂ  ケーブル導出部
３６ｃ  閉塞面
３６ｄ  側面壁
３６ｅ  前面壁  
３６ｆ  底面壁
３６ｇ  被係止部
３７    締付部材
３７ａ  頭部
【図１】
0005652411.tif 000002
【図２】
0005652411.tif 000003
【図３】
0005652411.tif 000004
【図４】
0005652411.tif 000005
【図５】
0005652411.tif 000006
【図６】
0005652411.tif 000007
【図７】
0005652411.tif 000008